(57)【要約】【課題】正確な状況の把握を可能とし、迅速・適切・効率的な対応ができるとともに、業務の効率化と不必要な出動がなくなることによるコストと保守員の負担の軽減を図る。【解決手段】通信監視装置のメンテナンスパソコンにＰＨＳを接続し、任意の場所から通信監視装置の情報を見ることができ、緊急時の対応に備え、社員、関係機関、請負者、メーカの連絡先一覧と作業等の情報、ＳＶＥポジション表が閲覧できる支援メニューを備えたリモート通信監視システム。【選択図】図１
2008042527.tif 000002
【特許請求の範囲】
【請求項１】
複数の電力設備の各々に設置された通信機器の状況を管理する通信管理制御装置と、
前記通信管理制御装置からの通信設備障害情報を受け取るＳＶＥログサーバとを備え、
ＳＶＥログサーバーは、
取り込んだ通信設備障害情報を第１のデータベースに蓄積するとともに、取り込んだ通信設備障害情報から所定の情報を選出してデータ量を小さくしたものを第２のデータベースに蓄積し、
ＳＶＥログサーバーは保守用ＬＡＮに接続されており、保守用ＬＡＮを介して通信設備障害情報の取得要求があると、第１のデータベースに蓄積された情報を保守用ＬＡＮを介してその要求元に送信し、
ＳＶＥログサーバーはＰＨＳにも接続されており、ＰＨＳを介して通信設備障害情報の取得要求があると、第２のデータベースに蓄積された情報をＰＨＳを介してその要求元に送信する
ことを特徴とする通信監視システム。
【請求項２】
請求項１において、
ＳＶＥログサーバーは、過去に保守が行われたさまざまな通信設備の障害の履歴を蓄積した第３のデータベースをさらに含み、
保守用ＬＡＮまたはＰＨＳを介して障害履歴の取得要求があると、第３のデータベースに蓄積された障害履歴情報を保守用ＬＡＮまたはＰＨＳを介してその要求元に送信する
ことを特徴とする通信監視システム。
【請求項３】
請求項１または２において、
ＳＶＥログサーバーは、障害対応時に必要な連絡先情報を蓄積した第４のデータベースをさらに含み、
保守用ＬＡＮまたはＰＨＳを介して連絡先の取得要求があると、第４のデータベースに蓄積された連絡先情報を保守用ＬＡＮまたはＰＨＳを介してその要求元に送信する
ことを特徴とする通信監視システム。
【請求項４】
複数の電力設備の各々に設置された通信機器と、前記通信機器の状況を管理する制御所に設置され且つ前記通信機器の障害を検知すると互いに異なる周波数を有する警告音を出力する複数の障害検知装置とを備える通信監視システムにおいて、前記電力設備のいずれか１つ（現地）に設置された通信機器の障害状況を模擬して前記制御所の障害検知装置が正常に作動するか否かを確認する通信試験を支援するシステムであって、
前記制御所に配置され、且つ、前記複数の障害検知装置の各々からの警告音を判別して当該警告音の出力状況をチャート化した警告音データを作成する音識別手段と、
前記音識別部によって作成された警告音データを伝送する伝送手段と、
前記現地に配置され、且つ、前記伝送手段によって伝送された警告音データをチャート図として表示する表示手段とを備える
ことを特徴とする通信試験支援システム。
【請求項５】
請求項４において、
通信試験中であることを示す試験通知手段をさらに備える
ことを特徴とする通信試験支援システム。
【発明の詳細な説明】
【技術分野】
【０００１】
本発明は、通信設備の状況を把握するためのシステムに関する。
【背景技術】
【０００２】
電力会社の管理下にある通信設備は網の目のように広がっており、各電力所ごとにエリア内にある通信設備を管理している。各電力所のエリア内における通信機器の状況等は、電力所内のＳＶＥ（通信管理制御装置）で集中管理されている。担当者は、この処理装置の端末のブラウン管とプリンタでエリア内の通信機器の状況等を見ることができ、障害連絡等があったり雷が鳴ったり等のときにはこれを見て現在の状況を把握していた。
【０００３】
また、通信監視システムでは、変電所，発電所，中継所等に設置された通信機器の障害状況を制御所に設置された障害検知装置（例えば、ベル，チャイム，ブザー）によって検知している。これらの障害検知装置が正常に作動するか否かを確認するために、各々に設置された通信機器の障害状況を模擬することによって通信試験が実施されている。
【特許文献１】特開２００１−３２０３８２号公報
【発明の開示】
【発明が解決しようとする課題】
【０００４】
情報の高度化・多様化に対応した通信ネットワークが構築され、通信設備の維持もリアルタイムな対応が必要となっている。上述のように、通信設備の監視はＳＶＥによって行っているが、通信設備障害時、制御所からは遠制装置のみによる情報のため、現状把握・情報収集に時間を要し、迅速な対応に支障をきたしている。特に休日・祝日・夜間の障害時には正確な情報収集が難しく、出動をしてまでの対応が必要かどうかの判断をわずかな電話情報で行っている。また、障害対応出動時には、社員、関係機関、請負者、メーカ等への連絡先の把握にも時間をとられている。さらに、通信作業等で多くの通信機器に影響を与える場合、現場でこれを確認することができず、機器の停止・復旧の全体把握には電力所の応援が必要である。
【０００５】
また、制御監視システムにおいて通信試験を実施する際に、現地にて障害状況を模擬するための作業員の他に、制御所にて障害検知装置の作動状況を確認するための作業員を配置する必要があった。このように作業員を配置して、現地の作業員から制御所の作業員へどのような障害状況を模擬するのかを制御所の作業員に事前に通知した後に、現地にて作業員がその障害状況を模擬していた。この場合、制御所の作業員が障害検知装置の各々からの出力を自分の耳で聞き、現地の作業員から通知されていた障害状況の通りに障害検知装置が作動しているのかを確認した後、障害検知装置の作動状況を現地の作業員に通知していた。このように、従来の試験作業は、非常に煩雑であった。
【課題を解決するための手段】
【０００６】
本願発明者らは、通信監視装置のメンテナンスパソコンにＰＨＳを接続し、任意の場所から通信監視装置の情報を見ることができ、緊急時の対応に備え、社員、関係機関、請負者、メーカの連絡先一覧と作業等の情報、ＳＶＥポジション表が閲覧できる支援メニューを備え通信監視システムを開発した。
【０００７】
また、本願発明者らは、通信試験の際に、制御所に作業員を配置する必要がなく現地の作業員が容易に障害検知装置の作動状況を確認することができる通信試験支援システムを開発した。
【発明の効果】
【０００８】
本発明の通信監視システムでは、ＰＨＳを利用して任意の場所よりパソコンでＳＶＥ（通信監視制御装置）の通信設備障害情報を確認できるため、通常はもとより、休日、夜間においても正確な状況の把握が可能となり、迅速・適切・効率的な対応ができるとともに、業務の効率化と不必要な出動がなくなることによるコストと保守員の負担の軽減が図れる。また、通信作業中に現場でＳＶＥ情報を監視できるため、機器の停止・復旧の確認のための電力所の応援が不要となる。また、連絡先の一覧等が手元にあるということは危機管理の上でも心強い。
【０００９】
また、本発明の通信試験支援システムでは、制御所にて音識別部によって障害検知装置の各々からの警告音が判別されて各々の警告音がチャート化され、現地にて警告音の波形を示すチャート図が表示されるので、障害検知装置の作動状況を容易に確認することができ、作業員の負担を軽減することができる。
【発明を実施するための最良の形態】
【００１０】
以下、この発明の実施の形態を図面を参照して詳しく説明する。なお、図中同一または相当部分には同一の符号を付しその説明は繰り返さない。
【００１１】
（第１の実施形態）
図１は、本発明の第１の実施形態による通信監視システムの全体構成を示す。このシステムでは、ＳＶＥ業務処理端末１０１と、プリンタ分配器１０２と、パラレル＿シリアル変換器１０３と、ＳＶＥログサーバー１０４と、保守用ＬＡＮ１０５と、副長席ＰＣ１０６と、ＰＨＳ１０７ａ，１０７ｂと、ＰＨＳ１０８ａ，１０８ｂと、ＳＶＥログクライアントと、技術員宅ＰＣ１０９ｂとを備える。
【００１２】
エリア内の通信設備の状況を集中管理しているＳＶＥ業務処理端末１０１からプリンタに出力される通信設備障害情報をプリンタ分配器１０２およびパラレル＿シリアル変換器１０３を介してＳＶＥログサーバー１０４に取り込んでいる。
【００１３】
ＳＶＥログサーバー１０４には、第１〜第４のデータベースが含まれている。ＳＶＥログサーバー１０４では、取り込んだ通信設備障害情報を第１のデータベースに蓄積するとともに、取り込んだ通信設備障害情報から所定の情報を選出してデータ量を小さくしたものを第２のデータベースに蓄積する。さらに、ＳＶＥログサーバー１０４は、過去に保守が行われたさまざまな通信設備の障害の履歴を第３のデータベースに蓄積し、障害対応時に必要な連絡先（社員・関係機関・請負者・メーカ等）を第４のデータベースに蓄積している。
【００１４】
ＳＶＥログサーバー１０４は、保守用ＬＡＮ１０５に接続されており、保守用ＬＡＮ１０５を介して通信設備障害情報の取得要求があると、第１のデータベースに蓄積された情報を保守用ＬＡＮ１０５を介してその要求元（たとえば副長席ＰＣ１０６）に送信する。このように、保守用ＬＡＮ１０５を介して見る場合には、データ量の多い見やすい形で通信設備の状況を確認できるようにしている。この際に障害履歴・連絡先の取得要求があると、第３・第４のデータベースに蓄積された障害履歴情報・連絡先情報を保守用ＬＡＮ１０５を介してその要求元（たとえば副長席ＰＣ１０６）に送信する。
【００１５】
ＳＶＥログサーバー１０４は、ＰＨＳアダプタを介してＰＨＳ１０７ａ，１０７ｂにも接続されており、ＰＨＳ１０７ａ，１０７ｂを介して通信設備障害情報の取得要求があると、第２のデータベースに蓄積された情報をＰＨＳ１０７ａ，１０７ｂを介してＰＨＳ１０８ａ，１０８ｂに接続されたその要求元（例えば、ＳＶＥログクライアント１０９ａや技術員宅ＰＣ１０９ｂ）に送信する。このようにＰＨＳから見るという場合には、通信速度も遅いので必要最小限の情報を提供するようにしている。この際に障害履歴・連絡先の取得要求があると、第３・第４のデータベースに蓄積された障害履歴情報・連絡先情報をＰＨＳ１０７ａ，１０７ｂを介してＰＨＳ１０８ａ，１０８ｂに接続されたその要求元（例えば、ＳＶＥログクライアント１０９ａや技術員宅ＰＣ１０９ｂ）に送信する。
【００１６】
本実施形態のシステムによれば、ＰＨＳを利用して任意の場所よりパソコンでＳＶＥの通信設備障害情報を確認できる。このため、通常はもとより、休日、夜間においても正確な状況の把握が可能となり、迅速・適切・効率的な対応ができるとともに、業務の効率化と不必要な出動がなくなることによるコストと保守員の負担の軽減が図れる。また、通信作業中に現場でＳＶＥ情報を監視できるため、機器の停止・復旧の確認のための電力所の応援が不要となる。また、連絡先の一覧等が手元にあるということは危機管理の上でも心強い。
【００１７】
（第２の実施形態）
図２は、本発明の第２の実施形態による通信試験支援システムの全体構成を示す。通信試験支援システムは、通信監視システムにおいて実施される通信試験を支援する。通信監視システムでは、中継所，変電所，発電所等の電力設備を結ぶ通信経路における通信状況を制御所で監視する。通信監視システムは、変電所，発電所，中継所等に設置された通信機器２０１と、制御所に設置された障害検知装置（ベル２０２ａ，ブザー２０２ｂ，チャイム２０２ｃ）と、通信機器２０１の障害状況を表示するモニタ２０３と備える。現地（例えば、変電所，発電所，中継所）に設置された通信機器２０１に障害が生じると、制御所に設置された障害検知装置の各々は、その通信機器に生じた障害に応じて互いに異なる周波数を有する警告音を出力する。
【００１８】
通信試験は、制御所の障害監視装置の各々が正常に作動するか否かを確認するために実施される。通信試験支援システムは、現地に設置される試験通知装置２０４ａ，受信装置２０６ｂ，および表示装置２０７と、制御所に設置される試験通知装置２０４ｂ，音識別装置２０５，および送信装置２０６ａとを備える。試験通知装置２０４ａは、通信試験の開始または試験の終了を通知するために操作される。試験通知装置２０４ｂは、試験通知装置２０４ａから試験の開始が通知されると、試験中であることを示す通知音を出力する（または、試験中であることを示すランプを点灯する）。音識別装置２０５は、障害検知装置（ベル２０２ａ，ブザー２０２ｂ，チャイム２０２ｃ）の各々から出力された警告音を判別して、各々の警告音の出力状況をチャート化することによって警告音データを作成する。例えば、音識別装置２０５は、ベル２０２ａの出力を検知するとベル２０２ａの出力状況を示す波形をＨレベルにし、ベル２０２ａの出力を検知しなくなるとベル２０２ａの出力状況を示す波形をＬレベルにする。このようにして、障害検知装置の各々からの警告音の出力状況を示す波形図データが作成される。送信装置２０６ａは、音識別装置２０５によって作成された警告音データを送信する。受信装置２０６ｂは、送信装置２０６ａから送信された警告音データを受信する。送信装置２０６ａと受信装置２０６ｂとの間における警告音データの伝送は、無線で実行されても良いし、有線で実行されても構わない。表示装置２０７は、受信装置２０６ｂによって受信された警告音データをチャート図として表示する。
【００１９】
例えば、通信機器２０１がショートしている状況を試験する場合、現地作業員は、試験通知装置２０４ａを操作して試験の開始を通知した後に、通信機器２０１のヒューズを抜いてヒューズが切れた状況を模擬する。制御所では、試験通知装置２０４ｂが作動して試験中であることを示す通知音を出力する（または、試験中であることを示すランプを点灯する）。また、ベル２０２ａ，ブザー２０２ｂ，チャイム２０２ｃの各々が作動して、互いに異なる周波数の警告音を出力する。音識別装置２０５は、ベル２０２ａ，ブザー２０２ｂ，チャイム２０２ｃの各々からの警告音を識別して、図３のように、チャート化することによって警告音データを作成する。この警告音データは、送信装置２０６ａから受信装置２０６ｂへ伝送されて、チャート図として表示装置２０７に表示される。現地作業員は、表示装置２０７に表示されたチャート図と、予め用意していたチャート図（ここでは、ヒューズが切れたときの各障害検知装置の出力状況を示すチャート図）とを比較して、両者が一致するのであれば制御所の各障害検知装置が正常に動作していると判断する。通信試験が終了すると、現地の作業員は試験通知装置２０４ａを操作して試験の終了を通知し、試験通知装置２０４ｂは通知音の出力を停止する（または、ランプを消灯する）。
【００２０】
本実施形態の通信監視システムによれば、通信試験を実施する際に、制御所に作業員を配置する必要がなく、現地にて制御所の障害検知装置の作動状況を容易に確認することができる。これにより、作業員の負担を軽減することができる。
【００２１】
また、試験通知装置によって試験中であることが通知されるので、試験中に、制御所の所員が『実際の障害によって各障害検知装置が作動している』と誤認することを防止できる。
【００２２】
なお、音識別装置２０５，送信装置２０６ａ，または受信装置２０６ｂが警告音データを参照して、どの障害が発生しているのかを自動的に判定するような構成であっても良い。これによれば、現地作業員による負担を軽減することができる。
【産業上の利用可能性】
【００２３】
本発明は、例えば、電力会社の管理下にある通信設備の監視システム等に対して有用である。
【図面の簡単な説明】
【００２４】
【図１】本発明の第１の実施形態による通信監視システムの全体構成を示す図である。
【図２】本発明の第２の実施形態による通信試験支援システムの全体構成を示す図である。
【図３】警告音データの一例を示す図である。
【符号の説明】
【００２５】
１０１    ＳＶＥ業務処理端末
１０２    プリンタ分配器
１０３    パラレル＿シリアル変換器
１０４    ＳＶＥログサーバー
１０５    保守用ＬＡＮ
１０６    副長席ＰＣ
１０７ａ，１０７ｂ，１０８ａ，１０８ｂ    ＰＨＳ
１０９ａ    ＳＶＥログクライアント
１０９ｂ    技術員宅ＰＣ
２０１    通信機器
２０２ａ，２０２ｂ，２０２ｃ    障害検知装置（ベル，ブザー，チャイム）
２０３    モニタ
２０４ａ，２０４ｂ    試験通知装置
２０５    音識別装置
２０６ａ    送信装置
２０６ｂ    受信装置
２０７    表示装置
【図１】
2008042527.tif 000003
【図２】
2008042527.tif 000004
【図３】
2008042527.tif 000005